(57)【要約】【課題】肌を傷つけるおそれを解消した電気かみそりを提供する。【解決手段】本実施の形態に係る電気かみそり２０は、くし歯状をなす固定刃４０と、くし歯状をなし、固定刃４０に摺接して、くし歯の並ぶ方向に往復動する可動刃４２とを有し、固定刃４２の刃先が可動刃４０の刃先よりも先方に突出するトリマーユニット３０を具備する電気かみそり２０において、固定刃４２が、くし歯状をなし、可動刃４０を挟んで互いに反対側に設けられ、刃先が可動刃４０の刃先よりも先方に突出する第１の固定刃４２ａおよび第２の固定刃４２ｂから成ることを特徴とする。【選択図】図３
2015073612.tif 000002
【特許請求の範囲】
【請求項１】
くし歯状をなす固定刃と、くし歯状をなし、前記固定刃に摺接して、くし歯の並ぶ方向に往復動する可動刃とを有し、前記固定刃の刃先が前記可動刃の刃先よりも先方に突出するトリマーユニットを具備する電気かみそりにおいて、
前記固定刃が、くし歯状をなし、前記可動刃を挟んで互いに反対側に設けられ、刃先が前記可動刃の刃先よりも先方に突出する第１の固定刃および第２の固定刃から成ることを特徴とする電気かみそり。
【請求項２】
前記第１の固定刃および第２の固定刃の刃の厚みが相互に異なることを特徴とする請求項１記載の電気かみそり。
【請求項３】
前記第１の固定刃および第２の固定刃の刃の長さが相互に異なることを特徴とする請求項１または２記載の電気かみそり。
【請求項４】
前記第１の固定刃および第２の固定刃の刃のピッチが相互に異なることを特徴とする請求項１〜３いずれか１項記載の電気かみそり。
【発明の詳細な説明】
【技術分野】
【０００１】
本発明は電気かみそりに関する。
【背景技術】
【０００２】
電気かみそりには、もみあげを整えたり、癖髭を切ったり、えりあしを整えたりするためのトリマーユニットを備えた製品がある。トリマーユニットの取付方法としては、外刃の側方位置で本体の側面と平行に上下動可能に設け、通常時は本体の側面部に収納し、使用時にスイッチ操作により外刃とほぼ同一の高さあるいは外刃よりも上方に突出させてトリミングできるものにしたものがある。あるいは、トリマー刃を本体の背面に収納される位置と本体の背面から刃先が側方に突出する位置との間で回動するように設け、使用時にトリマー刃の刃先を本体の側方に突出させてトリミングできるようにしたもの等がある。
【０００３】
これら電気かみそりにおいて、トリマーユニット１０は、図４に示すように、くし歯状をなす固定刃１２と、くし歯状をなし、固定刃１２に摺接して、くし歯の並ぶ方向に往復動する可動刃１４とを有し、固定刃１２の刃先が可動刃１４の刃先よりも先方に突出するように設けられているのが一般的である（例えば特許文献１）。
上記のように、トリマーユニット１０において、固定刃１２を、その刃先が可動刃１４の刃先よりも先方に突出するように設けられているから、可動刃１４により肌を傷付けることを防止できる。
【先行技術文献】
【特許文献】
【０００４】
【特許文献１】特開２００２−２７３０７２号公報
【発明の概要】
【発明が解決しようとする課題】
【０００５】
しかしながら、従来の電気かみそりは、トリマーユニット１０において、可動刃１４の刃先が固定刃１２の刃先よりも後退しているものの、可動刃１４の片面側が露出しているため、何らかの原因により、可動刃１４が肌に接触し、肌を傷付けるおそれがあった。
そこで、本発明は上記課題を解決すべくなされたものであり、その目的とするところは、トリマーユニットを有する電気かみそりにおいて、肌を傷つけるおそれを解消した電気かみそりを提供することにある。
【課題を解決するための手段】
【０００６】
上記の目的を達成するため、本発明は次の構成を備える。
すなわち、本発明に係る電気かみそりは、くし歯状をなす固定刃と、くし歯状をなし、前記固定刃に摺接して、くし歯の並ぶ方向に往復動する可動刃とを有し、前記固定刃の刃先が前記可動刃の刃先よりも先方に突出するトリマーユニットを具備する電気かみそりにおいて、前記固定刃が、くし歯状をなし、前記可動刃を挟んで互いに反対側に設けられ、刃先が前記可動刃の刃先よりも先方に突出する第１の固定刃および第２の固定刃から成ることを特徴とする。
【０００７】
前記第１の固定刃および第２の固定刃の、刃の厚み、刃の長さ、あるいは刃のピッチが相互に異なるようにしてもよい。
【発明の効果】
【０００８】
本発明によれば、可動刃の露出部位が無くなり、肌を傷つけるおそれが完全になくなった。また、髪の毛や髭を、可動刃と第１の固定刃および第２の固定刃の両固定刃との間でカットするから、切れ味、剃り味が一層良好となる効果がある。
【図面の簡単な説明】
【０００９】
【図１】電気かみそりを正面側からみた斜視図である。
【図２】電気かみそりを背面側からみた斜視図である。
【図３】トリマーユニットの固定刃と可動刃の構造を示す説明図である。
【図４】従来の電気かみそりにおけるトリマーユニットの固定刃と可動刃の構造を示す説明図である。
【発明を実施するための形態】
【００１０】
以下本発明の実施の形態を添付図面に基づき詳細に説明する。
図１は電気かみそり２０を正面側から見た斜視図、図は電気かみそり２０を背面側から見た斜視図である。
電気かみそり２０自体は公知の機構のものでよいので、以下簡単に説明する。
２２は本体で、内部に電動モータ（図示せず）等を備える。２４はヘッド部で、本体２２に着脱自在に取り付けられている。
【００１１】
ヘッド部２４の頂部にはかみそり部２６が設けられている。本実施の形態におけるかみそり部２６は、往復式かみそり部２６に形成されている。この往復式かみそり部２６は２連に形成され、それぞれのかみそり部２６は、かまぼこ状をなす外刃２７、２７と、この外刃２７、２７に内側から摺接し、外刃２７に沿って往復動して、外刃２７との間で髭を切る内刃（図示せず）とを有する。なお、往復式かみそり部２６は２連に限定されるものではない。
【００１２】
本体２２内部には、電動モータの回転動を往復直線運動に変換する変換機構（図示せず）と、この変換機構によって変換された往復直線運動を内刃に伝達する伝達機構（図示せず）とが設けられ、内刃を駆動するようになっている。
なお、２８は本体２２の正面に設けられたスイッチであり、電動モータの駆動をオン、オフする。
【００１３】
図２に示すように、本体２２の背面側には、トリマーユニット３０が設けられている。トリマーユニット３０は、基体３３がその基部において、本体２２の背面に設けられている凹部３２の内壁面上部に回動自在に軸支されている。そしてトリマーユニット３０は、本体２２背面と平行になるように回動された際、凹部３２内に収納されるようになっており、また、本体２２背面に対してほぼ直角に回動された位置で、本体２２背面から突出し、この位置でトリマーユニット３０に設けられている可動刃が駆動されるようになっている。
【００１４】
トリマーユニット３０は、本体２２背面にほぼ直角に回動された位置で、凹部３２の上部内壁面に基体３３が当接し、この位置で停止される。
３４は、操作ノブで、凹部３２内に移動可能に配設されている。操作ノブ３４には、弾性材で形成され、先端側で２又に分岐する押圧片３６が固定されている。この押圧片３６の２又の先端部が、基体３３に、基体３３の凹部３２内壁への軸支位置よりも前方側（図２における右方側）に軸着され、リンク機構を構成している。
【００１５】
操作ノブ３４を図２上上方側に押動することによって、トリマーユニット３０は、基体３３が押圧片３６を介して押動され、これにより本体２２背面に対してほぼ直角になる位置まで回動し、基体３３が押圧片３６の弾性力によって凹部３２の上部内壁面に押圧された状態で維持される。操作ノブ３４は、トリマーユニット３０の可動刃の駆動スイッチも兼ね、トリマーユニット３０の可動刃が駆動される。
また、操作ノブ３４を下方に移動させることによって、リンク機構を介してトリマーユニット３０の基体３３が下方に回動され、トリマーユニット３０が凹部３２内に収納される。
【００１６】
基体３３には、トリマー刃３８が取り付けられている。
トリマー刃３８は、くし歯状をなす刃部を有する可動刃４０と、くし歯状をなし、可動刃４０を挟んで互いに反対側に設けられて、刃先が可動刃４０の刃先よりも先方に突出する第１の固定刃４２ａおよび第２の固定刃４２ｂを有する。
【００１７】
可動刃４０は、第１の固体刃４２ａおよび第２の可動刃４２ｂに摺接し、往復駆動機構により、くし歯状の刃が並ぶ方向に往復駆動されて、固定刃４２との間でトリミング動作をするようになっている。
第１の固定刃４２ａおよび第２の固定刃４２ｂは、可動刃４０の摺動抵抗を減じるため、図３に示すように、断面が台形状となるように中央部が屈曲され、可動刃４０との間の接触面積が小さくなるようにされている。
第１の固定刃４２ａと第２の固定刃４２ｂとは全く同一のものを用いることができる。これにより製造コストの上昇を抑えることができる。
【００１８】
可動刃４０の往復駆動機構も公知の機構を用いることができる。この往復駆動機構は、本体２２内に設けられ、電動モータの回転動を往復直線運動に変換する変換機構（図示せず）と、この変換機構によって変換された往復直線運動を可動刃３５に伝達する伝達機構（図示せず）とからなる駆動機構が採用される。電動モータは、かみそり部２６の内刃の駆動用の電動モータが兼用される。
【００１９】
本実施の形態の電気かみそり２０は上記のように構成されている。
本実施の形態においては、トリマーユニット３０における固定刃４２を、刃先が可動刃４０の刃先よりも先方に突出する第１の固定刃４２ａと第２の固定刃４２ｂとで構成し、両固定刃４２ａ、４２を、可動刃４０を挟むようにして可動刃４０の両側に設けている。これにより、可動刃４０の刃先が固定刃４２ａ、４２ｂの刃先よりも後退し、さらに可動刃４０の両面側が固定刃４２ａ、４２ｂで覆われることとなるから、可動刃４０の露出部位が無くなり、肌を傷つけるおそれが完全になくなった。
【００２０】
また、髪の毛や髭を、可動刃４０と両固定刃４２ａ、４２ｂとの間でカットするから、切れ味、剃り味が一層良好となる利点がある。
さらには、可動刃４０が肌へ触れることがないため、可動刃４０を従来より長くすることができ、これにより、髪の毛や髭を短くカットすることができ、きれいな仕上がりとすることができる。
【００２１】
なお、上記実施の形態においては、第１の固定刃４２ａと第２の固定刃４２ｂとを同一の形態のものを用いたがこれに限定されるものではない。
例えば、第１の固定刃４２ａおよび第２の固定刃４２ｂの、刃の厚み、刃の長さ、あるいは刃のピッチ等が相互に異なるようにしてもよい。これにより、種々の用途に使い分けるようにすることができ、使い勝手がよくなる。
【００２２】
また、本発明における電気かみそりは電気バリカンを含む概念で用いている。すなわち、電気バリカンにおける髪切り刃も、くし歯状をなす固定刃を、刃先が可動刃の刃先よりも先方に突出する、くし歯状の第１の固定刃と第２の固定刃とで構成し、両固定刃を、可動刃を挟むようにして可動刃の両側に設けるようにする。これにより、肌を傷付けることのない、上記と同様な効果を有する電気バリカンを提供できる。
【符号の説明】
【００２３】
２０  電気かみそり、２２  本体部、２４  ヘッド部、２６  かみそり部、２７  外刃、３０  トリマーユニット、３２  凹部、３４  操作ノブ、３６  押圧片、３８  トリマー刃、４０  可動刃、４２ａ  第１の固定刃、４２ｂ  第２の固定刃
【図１】
2015073612.tif 000003
【図２】
2015073612.tif 000004
【図３】
2015073612.tif 000005
【図４】
2015073612.tif 000006